(57)【要約】【課題】遮音性及び耐火性の向上を図ることができる間仕切壁を提案する。【解決手段】間仕切壁は、一対の壁パネル２を備える。壁パネル２は、左右方向に並ぶ一対のパネル体Ｐ１と、上張り石膏ボード６を有する。パネル体Ｐ１は、下張り石膏ボード４と、下張り石膏ボード４に接着され、その裏面と側面を覆う金属外皮５を含む。上張り石膏ボード６は、金属外皮５を貫通するように打ち込まれたねじ１１によって下張り石膏ボード４に取り付けられる。一方のパネル体Ｐ１の金属外皮５のうち下張り石膏ボード４の側面を覆う部分には、上下方向に延びるように凸条部５１０が形成され、他方のパネル体Ｐ１の金属外皮５のうち下張り石膏ボード４の側面を覆う部分には、上下方向に延びるように凹条部５２０が形成されている。一対のパネル体Ｐ１は、凸条部５１０と凹条部５２０とが嵌まり合っている。【選択図】図３
2020026674.tif 000002
【特許請求の範囲】
【請求項１】
互いに対向し、前後方向に間隔をあけて位置する一対の壁パネルを備える間仕切壁であって、
前記一対の壁パネルのそれぞれは、
左右方向に並ぶ一対のパネル体と、
前記一対のパネル体の表側に並ぶ上張り石膏ボードと、を有し、
前記一対のパネル体のそれぞれは、
下張り石膏ボードと、
前記下張り石膏ボードの裏面に接着され、前記下張り石膏ボードの前記裏面と側面を覆う金属外皮と、を含み、
前記上張り石膏ボードは、前記金属外皮を貫通するように前記上張り石膏ボードに打ち込まれたねじによって、前記下張り石膏ボードに取り付けられ、
前記一対のパネル体の一方のパネル体の前記金属外皮のうち、前記下張り石膏ボードの前記側面を覆う部分には、上下方向に延びるように凸条部が形成され、
前記一対のパネル体の他方のパネル体の前記金属外皮のうち、前記下張り石膏ボードの前記側面を覆う部分には、上下方向に延びるように凹条部が形成され、
前記一対のパネル体は、前記凸条部と前記凹条部とが嵌まり合っている、
間仕切壁。
【請求項２】
前記上張り石膏ボードは、前記一対のパネル体の間の目地を覆うように位置する、
請求項１の間仕切壁。
【請求項３】
互いに対向し、前後方向に間隔をあけて位置する一対の壁パネルを備える間仕切壁であって、
前記一対の壁パネルのそれぞれは、左右方向に並ぶ一対のパネル体を有し、
前記一対のパネル体のそれぞれは、
下張り石膏ボードと、
前記下張り石膏ボードに接着され、前記下張り石膏ボードの厚み方向の第一側の面と側面を覆う金属外皮と、
前記下張り石膏ボードの前記厚み方向の第二側の面に接着される上張り石膏ボードと、
を含み、
前記一対のパネル体の一方のパネル体の前記金属外皮のうち、前記下張り石膏ボードの前記側面を覆う部分には、上下方向に延びるように凸条部が形成され、
前記一対のパネル体の他方のパネル体の前記金属外皮のうち、前記下張り石膏ボードの前記側面を覆う部分には、上下方向に延びるように凹条部が形成され、
前記一対のパネル体は、前記凸条部と前記凹条部とが嵌まり合っている、
間仕切壁。
【請求項４】
天井に固定される上固定部材と、
床に固定される下固定部材と、
前記上固定部材に前記一対の壁パネルのそれぞれの上端部を固定するねじと、
前記下固定部材に前記一対の壁パネルのそれぞれの下端部を固定するねじと、を更に備える、
請求項１〜３のいずれか１つの間仕切壁。
【請求項５】
前記一対の壁パネルの間に位置する横長の連結材を更に備え、
前記一対のパネル体のそれぞれは、前記連結材にねじ固定されている、
請求項１〜４のいずれか１つの間仕切壁。
【請求項６】
前記一対の壁パネルの間に位置する吸音材を更に備える、
請求項１〜５のいずれか１つの間仕切壁。
【請求項７】
前記一対の壁パネルの間には、前記吸音材で構成される吸音層と、空気層とが、前後に並んで位置する、
請求項６の間仕切壁。
【請求項８】
前記上張り石膏ボードは、前記下張り石膏ボードとはコインシデンス周波数が異なることを特徴とする請求項１〜７のいずれか１つの間仕切壁。
【請求項９】
前記一対の壁パネルのそれぞれは、
前記一対のパネル体の間に挟まって位置する耐火パッキン及び気密パッキンを、更に有することを特徴とする請求項１〜８のいずれか１つの間仕切壁。
【発明の詳細な説明】
【技術分野】
【０００１】
本開示は、間仕切壁に関する。
【背景技術】
【０００２】
特許文献１には、左右に並ぶ複数の下張りボードと、左右に並ぶ複数の上張りボードとを有する壁パネルを一対備えた間仕切壁が記載されている。
【０００３】
左右に並ぶ下張りボードの突合せ縁は、上下に間隔をあけて配置した複数の平面Ｈ字状の中間クリップを介して接続されている。左右に並ぶ上張りボードは、その突合せ縁が、左右に並ぶ下張りボードの突合せ縁に対して左右方向にずれて位置するように配置されている。
【先行技術文献】
【特許文献】
【０００４】
【特許文献１】特開平６−１９３１６２号公報
【発明の概要】
【発明が解決しようとする課題】
【０００５】
ところで、特許文献１に記載の間仕切壁では、左右に並ぶ下張りボードの突合せ縁のうち、上下の中間クリップの間の部分に平面視直線状の隙間が生じ、この隙間を音や火災時の炎が通り抜けるおそれがあり、遮音性及び耐火性の面で改善の余地がある。
【０００６】
上記事情に鑑みて、本開示は、遮音性及び耐火性の向上を図ることができる間仕切壁を提案することを、目的とする。
【課題を解決するための手段】
【０００７】
本開示に係る一態様の間仕切壁は、互いに対向し、前後方向に間隔をあけて位置する一対の壁パネルを備える間仕切壁であって、前記一対の壁パネルのそれぞれは、左右方向に並ぶ一対のパネル体と、前記一対のパネル体の表側に並ぶ上張り石膏ボードと、を有し、前記一対のパネル体のそれぞれは、下張り石膏ボードと、前記下張り石膏ボードの裏面に接着され、前記下張り石膏ボードの前記裏面と側面を覆う金属外皮と、を含み、前記上張り石膏ボードは、前記金属外皮を貫通するように前記上張り石膏ボードに打ち込まれたねじによって、前記下張り石膏ボードに取り付けられ、前記一対のパネル体の一方のパネル体の前記金属外皮のうち、前記下張り石膏ボードの前記側面を覆う部分には、上下方向に延びるように凸条部が形成され、前記一対のパネル体の他方のパネル体の前記金属外皮のうち、前記下張り石膏ボードの前記側面を覆う部分には、上下方向に延びるように凹条部が形成され、前記一対のパネル体は、前記凸条部と前記凹条部とが嵌まり合っている。
【０００８】
また、本開示に係る他の様態の間仕切壁は、互いに対向し、前後方向に間隔をあけて位置する一対の壁パネルを備える間仕切壁であって、前記一対の壁パネルのそれぞれは、左右方向に並ぶ一対のパネル体を有し、前記一対のパネル体のそれぞれは、下張り石膏ボードと、前記下張り石膏ボードに接着され、前記下張り石膏ボードの厚み方向の第一側の面と側面を覆う金属外皮と、前記下張り石膏ボードの前記厚み方向の第二側の面に接着される上張り石膏ボードと、を含み、前記一対のパネル体の一方のパネル体の前記金属外皮のうち、前記下張り石膏ボードの前記側面を覆う部分には、上下方向に延びるように凸条部が形成され、前記一対のパネル体の他方のパネル体の前記金属外皮のうち、前記下張り石膏ボードの前記側面を覆う部分には、上下方向に延びるように凹条部が形成され、前記一対のパネル体は、前記凸条部と前記凹条部とが嵌まり合っている。
【発明の効果】
【０００９】
本開示は、遮音性及び耐火性の向上を図ることができる間仕切壁を提案することができる。
【図面の簡単な説明】
【００１０】
【図１】図１は、本開示に係る実施形態１の間仕切壁を一部破断して示す斜視図である。
【図２】図２は、図１のＡ−Ａ線における断面図である。
【図３】図３は、図１のＢ−Ｂ線における断面図である。
【図４】図４Ａは、同上の間仕切壁のパネル体を示す平面図であり、図４Ｂは、図４ＡのＣ部を拡大した図であり、図４Ｃは、図４ＡのＤ部を拡大した図である。
【図５】図５は、本開示に係る実施形態２の間仕切壁を一部破断して示す斜視図である。
【図６】図６は、図５のＥ−Ｅ線における断面図である。
【図７】図７は、図５のＦ−Ｆ線における断面図である。
【図８】図８Ａは、同上の間仕切壁のパネル体を示す平面図であり、図８Ｂは、図８ＡのＧ部を拡大した図であり、図８Ｃは、図８ＡのＨ部を拡大した図である。
【図９】図９は、本開示に係る実施形態３の間仕切壁を示す断面図である。
【図１０】図１０は、本開示に係る実施形態１の間仕切壁の変形例を示す断面図である。
【図１１】図１１は、本開示に係る実施形態１の間仕切壁の他の変形例を示す断面図である。
【発明を実施するための形態】
【００１１】
以下の実施形態は、間仕切壁に関し、詳しくは、目地部分の遮音性及び耐火性を高めた間仕切壁に関する。
【００１２】
（実施形態１）
１．概要
図１、図２及び図３には、実施形態１の間仕切壁１が示されている。間仕切壁１は、ホテルの客室を仕切る壁や、事務所を仕切る壁等として好適に用いられる。
【００１３】
間仕切壁１は、互いに対向し、前後方向に間隔をあけて位置する一対の壁パネル２を備える。
【００１４】
一対の壁パネル２のそれぞれは、左右方向に並ぶ一対のパネル体Ｐ１と、一対のパネル体Ｐ１の表側に並ぶ上張り石膏ボード６と、を有する。
【００１５】
一対のパネル体Ｐ１のそれぞれは、下張り石膏ボード４と、下張り石膏ボード４の裏面に接着され、下張り石膏ボード４の裏面と側面とを覆う金属外皮５と、を含む。上張り石膏ボード６は、金属外皮５を貫通するように上張り石膏ボード６に打ち込まれたねじ１１によって、下張り石膏ボード４に取り付けられている。
【００１６】
本明細書では、一対の壁パネル２が並ぶ方向を前後方向とし、一対のパネル体Ｐ１が並ぶ方向を左右方向として、各構成について説明する。
【００１７】
間仕切壁１は、一対の壁パネル２のそれぞれの上端部を天井１００に固定する上固定部材７と、一対の壁パネル２のそれぞれの下端部を床１０１に固定する下固定部材８と、一対の壁パネル２の上下方向の中間部が連結される連結材９と、を更に備える。
【００１８】
天井１００は、例えば、コンクリートスラブであり、天井１００の下方には、内装天井１０２が吊り下げられている。なお、内装天井１０２は、天井１００の下方に配置されなくてもよい。
【００１９】
２．詳細
２−１．壁パネル
一対の壁パネル２は、構造が互いに共通している。一対の壁パネル２は、互いに前後対称である。以下では、前側に位置する壁パネル２の各構成について詳しく説明する。
【００２０】
本実施形態では、壁パネル２は、左右方向に並ぶ複数のパネル体Ｐ１と、その表側（前側）で左右方向に並ぶ複数の上張り石膏ボード６と、を有する。複数のパネル体Ｐ１は、構造が互いに共通している。
【００２１】
２−１−１．下張り石膏ボード
下張り石膏ボード４は、矩形板状である。下張り石膏ボード４は、上下方向が長手方向であり、左右方向が短手方向であり、前後方向が厚み方向である。
【００２２】
下張り石膏ボード４は、石膏ボードの芯材部分に無機繊維材料を混入したものであり、普通石膏ボードより耐火性能を有する強化石膏ボードである。下張り石膏ボード４としては、例えば、ＪＩＳ  Ａ６９０１の強化石膏ボード（ＧＢ−Ｆ）が用いられる。下張り石膏ボード４は、例えば、長さ（高さ）が２７３０ｍｍ、幅が６０６ｍｍ、厚さが２１ｍｍである。
【００２３】
図４Ａ、図４Ｂ及び図４Ｃに示すように、下張り石膏ボード４の裏面（後面）と側面（右面と左面）は、金属外皮５で覆われている。
【００２４】
２−１−２．金属外皮
金属外皮５は、下張り石膏ボード４の裏面（後面）を覆う主板部５０と、下張り石膏ボード４の両側面のうちの一方（左面）を覆う第一側板部５１と、下張り石膏ボード４の両側面のうちの他方（右面）を覆う第二側板部５２と、を有する。主板部５０は、下張り石膏ボード４の裏面に接着されている。
【００２５】
金属外皮５は、その上下長さが、下張り石膏ボード４の上下長さと同じである。金属外皮５は、上下方向の全長にわたって断面形状が一定である。金属外皮５は、金属板を折り曲げて形成される。金属板は、塗装鋼板、亜鉛めっき鋼板、ガルバリウム鋼板（登録商標）、エスジーエル（登録商標）鋼板、ステンレス鋼板、アルミニウム鋼板、チタン板等であるが、これらに限定されない。金属板の厚みは、例えば０．５ｍｍである。金属外皮５は、例えばロール成形機を用いて、所定の形状に形成される。
【００２６】
主板部５０は、矩形板状である。主板部５０の左右方向の長さは、下張り石膏ボード４の左右方向の長さよりも若干長い。主板部５０の右端部は、下張り石膏ボード４よりも右側に位置している。
【００２７】
第一側板部５１は、金属外皮５のうち、下張り石膏ボード４の左面に対向して位置する部分である。第二側板部５２は、金属外皮５のうち、下張り石膏ボード４の右面に対向して位置する部分である。
【００２８】
図４Ｂに示すように、第一側板部５１は、その前後方向の一部に左側に突出した凸条部５１０を有する。言い換えると、第一側板部５１には、上下方向に延びるように凸条部５１０が形成されている。凸条部５１０は、右側に開口した平面視Ｕ字状である。凸条部５１０は、第一側板部５１のうち、前後方向の中央部に位置する。第一側板部５１は、凸条部５１０の前後に位置し、下張り石膏ボード４の左面に対して平行な一対の平板部５１１を更に有する。後側の平板部５１１は、主板部５０の左端及び凸条部５１０に対して連続しており、前側の平板部５１１は、凸条部５１０に対して連続している。
【００２９】
図４Ｃに示すように、第二側板部５２は、その前後方向の一部に左側に凹んだ凹条部５２０を有する。言い換えると、第二側板部５２には、上下方向に延びるように凹条部５２０が形成されている。凹条部５２０は、右側に開口した平面視Ｕ字状である。凹条部５２０は、第二側板部５２のうち、前後方向の中央部に位置する。凹条部５２０と凸条部５１０とは、前後方向の位置が互いに同じである。
【００３０】
第二側板部５２は、凹条部５２０の前後に位置し、下張り石膏ボード４の右面に対して平行な一対の平板部５２１を更に有する。後側の平板部５２１は、主板部５０の右端及び凹条部５２０に連続しており、前側の平板部５１１は、凹条部５２０に連続している。
【００３１】
第二側板部５２の前側の平板部５２１と凹条部５２０と下張り石膏ボード４とで囲まれる領域には、石膏ボード１０が配置されている。言い換えると、壁パネル２は、第二側板部５２と下張り石膏ボード４とで囲まれて前側に開放された空間を埋める石膏ボード１０を更に有する。石膏ボード１０は、下張り石膏ボード４と同じ材質の石膏ボードである。石膏ボード１０の前面と下張り石膏ボード４の前面とは面一である。
【００３２】
金属外皮５の主板部５０が下張り石膏ボード４の裏面に接着されることで、下張り石膏ボード４と金属外皮５とは１つのパネル体Ｐ１を構成する。
【００３３】
左右に並ぶ一対のパネル体Ｐ１は、右側のパネル体Ｐ１の金属外皮５の第一側板部５１の凸条部５１０が、左側のパネル体Ｐ１の金属外皮５の第二側板部５２の凹条部５２０に嵌まり合うことで、互いに接続される。
【００３４】
２−１−３．上張り石膏ボード
図１に示すように、上張り石膏ボード６は、矩形板状である。上張り石膏ボード６は、上下方向が長手方向であり、左右方向が短手方向であり、前後方向が厚み方向である。
【００３５】
上張り石膏ボード６は、耐衝撃性が強化石膏ボード(ＧＢ−Ｆ)の約１．２倍以上の硬質な石膏ボードである。上張り石膏ボード６としては、例えば、ＪＩＳ  Ａ６９０１の普通硬質石膏ボード(ＧＢ−Ｒ−Ｈ)が用いられる。上張り石膏ボード６は、例えば、長さ（高さ）が２７３０ｍｍ、幅が９１０ｍｍ、厚さが９．５ｍｍである。
【００３６】
上張り石膏ボード６は、下張り石膏ボード４とはコインシデンス周波数が異なる。例えば、下張り石膏ボード４のコインシデンス周波数は、約１，６００Ｈｚであり、上張り石膏ボード６のコインシデンス周波数は、約３，０００Ｈｚである。
【００３７】
図３に示すように、上張り石膏ボード６は、金属外皮５の主板部５０を貫通するように上張り石膏ボード６に表側（前側）から打ち込まれたねじ１１によって、下張り石膏ボード４に取り付けられる。
【００３８】
上張り石膏ボード６は、その左右の端部の上下方向に離れた複数箇所のそれぞれが、ねじ１１によって、パネル体Ｐ１に取り付けられる。上張り石膏ボード６は、上下方向において連結材９と重なる部分を除く部分が、ねじ１１によってパネル体Ｐ１に取り付けられる。
【００３９】
上張り石膏ボード６は、一対のパネル体Ｐ１の間の目地（詳しくは右側のパネル体Ｐ１の金属外皮５の第一側板部５１と左側のパネル体Ｐ２の金属外皮５の第二側板部５２の間の目地）を覆うように位置する。
【００４０】
複数の上張り石膏ボード６は、左右に隣接する２つの上張り石膏ボード６の側面同士が突き合わさる状態で、複数のパネル体Ｐ１に取り付けられる。
【００４１】
２−２．上固定部材
図２に示すように、上固定部材７は、一対の壁パネル２の上端部を天井１００に固定するための部材である。上固定部材７は、例えば金属製である。上固定部材７は、一対の壁パネル２の上端部の間に、左右方向の全長にわたって設置される。上固定部材７は、壁パネル２と左右方向の長さが互いに同じである。なお、上固定部材７は、左右方向に間隔をあけて配置される複数のピース材で構成されてもよい。
【００４２】
上固定部材７は、側面視にて下方に開口したＵ字状である。上固定部材７は、天井１００に固定される矩形板状の上固定部７０と、上固定部７０の前端部から下方に延長された矩形板状の前固定部７１と、上固定部７０の後端部から下方に延長された矩形板状の後固定部７２とを含む。前固定部７１と後固定部７２は、互いに平行である。前固定部７１の前面と後固定部７２の後面のそれぞれには、音響絶縁体９０が取り付けられている。音響絶縁体９０は、遮音性能を有する部材である。音響絶縁体９０は、例えば、グラスウール等で形成されたシート状の部材である。
【００４３】
上固定部材７は、ねじ等の固定具７３を天井１００にまで至るように上固定部７０に打ち込むことによって、天井１００に固定される。
【００４４】
前固定部７１には、前側の壁パネル２のパネル体Ｐ１の上端部が、ねじ１２によって固定される。後固定部７２には、後側の壁パネル２のパネル体Ｐ１の上端部が、ねじ１２によって固定される。前固定部７１と前側の壁パネル２のパネル体Ｐ１の上端部との間と、後固定部７２と後側の壁パネル２のパネル体Ｐ１の上端部との間のそれぞれには、音響絶縁体９０が介在する。これにより、上固定部材７を介して前後の壁パネル２の間で音が伝わることが抑制される。
【００４５】
２−３．下固定部材
下固定部材８は、一対の壁パネル２の下端部を床１０１に固定するための部材である。下固定部材８は、例えば金属製である。下固定部材８は、一対の壁パネル２の下端部の間に、左右方向の全長にわたって設置される。下固定部材８は、壁パネル２と左右方向の長さが互いに同じである。なお、下固定部材８は、左右方向に間隔をあけて配置される複数のピース材で構成されてもよい。
【００４６】
下固定部材８は、側面視にて上方に開口したＵ字状である。下固定部材８は、床１０１に固定される矩形板状の下固定部８０と、下固定部８０の前端部から上方に延長された矩形板状の前固定部８１と、下固定部８０の後端部から上方に延長された矩形板状の後固定部８２とを含む。前固定部８１と後固定部８２は、互いに平行である。前固定部８１の前面と後固定部８２の後面のそれぞれには、音響絶縁体９０が取り付けられている。
【００４７】
下固定部材８は、ねじ等の固定具８３を床１０１にまで至るように下固定部８０に打ち込むことによって、床１０１に固定される。
【００４８】
前固定部８１には、前側の壁パネル２のパネル体Ｐ１の下端部が、ねじ１２によって固定される。後固定部８２には、後側の壁パネル２のパネル体Ｐ１の下端部が、ねじ１２によって固定される。前固定部８１と前側の壁パネル２のパネル体Ｐ１の下端部との間と、後固定部８２と後側の壁パネル２のパネル体Ｐ１の下端部との間のそれぞれには、音響絶縁体９０が介在する。これにより、下固定部材８を介して前後の壁パネル２の間で音が伝わることが抑制される。
【００４９】
２−４．連結材
連結材９は、横長の部材であり、前後の壁パネル２の複数のパネル体Ｐ１のそれぞれが連結される。
【００５０】
連結材９は、一対の壁パネル２の間に、左右方向の全長にわたって配置される。連結材９は、軽鉄製の角パイプである。連結材９の前後方向の長さは、固定部材７，８の前後方向の長さと同じである。
【００５１】
連結材９の前後の面には、音響絶縁体９０が取り付けられている。音響絶縁体９０は、連結材９の前後の面の全体を覆う。
【００５２】
連結材９には、前側の壁パネル２の複数のパネル体Ｐ１のそれぞれが、ねじ１２で固定され、後側の壁パネル２の複数のパネル体Ｐ１のそれぞれが、ねじ１２で固定される。複数のパネル体Ｐ１のそれぞれは、本実施形態では、上下方向の中間部の左右の端部が、ねじ１２で連結材９に固定される。
【００５３】
複数のパネル体Ｐ１のそれぞれが連結材９に固定されることで、複数のパネル体Ｐ１のそれぞれに反りが生じることが抑えられる。つまり、各パネル体Ｐ１の上下方向の中間部が上下の端部に比べて前後方向にずれて位置するように反ることが抑えられる。これにより、左右に並ぶ一対のパネル体Ｐ１の凸条部５１０と凹条部５２０とが嵌まり合う状態に不具合が生じることが抑制される。また、前後の壁パネル２の複数のパネル体Ｐ１が連結材９を介して連結されることで、間仕切壁１の剛性が高まる。
【００５４】
２−５．その他
図３に示すように、壁パネル２は、左右に並ぶ一対のパネル体Ｐ１の間に挟まって位置する耐火パッキン１３及び気密パッキン１４を更に有する。本実施形態では、耐火パッキン１３は、気密パッキン１４よりも表側（前側）に位置している。
【００５５】
耐火パッキン１３は、例えば、熱膨張黒鉛を含んだロックウールフェルトである。耐火パッキン１３は、右側のパネル体Ｐ１の金属外皮５の第一側板部５１の前側の平板部５１１と左側のパネル体Ｐ１の金属外皮５の第二側板部５２の前側の平板部５２１との間に押し潰された状態で設置されている。耐火パッキン１３は、図４Ｂに示すように、例えば、金属外皮５の第一側板部５１の前側の平板部５１１の左面に上下方向の全長にわたって接着されている。
【００５６】
気密パッキン１４は、例えば、ポリ塩化ビニールを基材とした独立気泡構造のシーリング材である。図３に示すように、気密パッキン１４は、右側のパネル体Ｐ１の金属外皮５の第一側板部５１の凸条部５１０の先端面と左側のパネル体Ｐ１の金属外皮５の第二側板部５２の凹条部５２０の内底面との間に押し潰された状態で設置されている。気密パッキン１４は、図４Ｃに示すように、例えば、金属外皮５の第二側板部５２の凹条部５２０の内底面（右側を向く面）に上下方向の全長にわたって接着されている。
【００５７】
図１、図２及び図３に示すように、壁パネル２は、複数の上張り石膏ボード６の表側の面（前面）に貼り付けられる壁紙１５を更に有する。壁紙１５は、複数の上張り石膏ボード６の表側の面の全体を覆う。
【００５８】
間仕切壁１は、壁紙１５の下端部の表側（前側）に設置される幅木１６を更に備える。幅木１６の左右方向の長さは、壁紙１５の左右方向の長さ（つまり複数の上張り石膏ボード６の左右方向の長さの足し合わせ）と同じである。
【００５９】
３.間仕切壁の設置方法
続いて、間仕切壁１の設置方法の一例について説明する。
【００６０】
まず、天井１００の間仕切壁１を設ける箇所に、上固定部材７を固定具７３で固定し、床１０１の間仕切壁１を設ける箇所に、下固定部材８を固定具８３で固定する。上固定部材７と下固定部材８は、上下に対向し、互いに平行となるように設置する。
【００６１】
次いで、上下の固定部材７，８の前側に、複数のパネル体Ｐ１を左右方向に並べて配置する。このとき、複数のパネル体Ｐ１のそれぞれは、下張り石膏ボード４がパネル体Ｐ１の表側の面（前面）を構成するように、配置される。そして、複数のパネル体Ｐ１は、左右に並ぶ２つのパネル体Ｐ１同士が、凸条部５１０と凹条部５２０とが嵌まり合うように、配置される。
【００６２】
次いで、複数のパネル体Ｐ１のそれぞれの下端部を、前側から打ち込んだねじ１２によって、下固定部材８の前固定部８１に固定し、複数のパネル体Ｐ１のそれぞれの上端部を、前側から打ち込んだねじ１２によって、上固定部材７の前固定部７１に固定する。
【００６３】
次いで、複数のパネル体Ｐ１の上下方向の中間部の後側に、連結材９を配置して、複数のパネル体Ｐ１の前側から打ち込んだ複数のねじ１２によって、複数のパネル体Ｐ１のそれぞれを連結材９に固定する。
【００６４】
次いで、複数のパネル体Ｐ１の表側の面（前面）に複数の上張り石膏ボード６を配置する。このとき、左右に並ぶパネル体Ｐ１の間の目地（左右に並ぶ２つの金属外皮５の側板部５１，５２の間の目地）を覆うように（つまり左右に並ぶパネル体Ｐ１の間の目地と、左右に並ぶ上張り石膏ボード６の間の目地が、左右方向にずれて位置するように）、複数の上張り石膏ボード６を配置する。複数の上張り石膏ボード６は、左右方向に隣接する２つの上張り石膏ボード６の側面同士が突き合わさるように、配置する。
【００６５】
次いで、複数の上張り石膏ボード６の前側から打ち込んだ複数のねじ１１によって、複数の上張り石膏ボード６のそれぞれを複数のパネル体Ｐ１の金属外皮５の主板部５０に固定する。このとき、各ねじ１１は、連結材９、上固定部材７及び下固定部材８を避けた位置にねじ込む。
【００６６】
次いで、複数の上張り石膏ボード６の表側の面（前面）に、壁紙１５を貼り付ける。壁紙１５によって複数の上張り石膏ボード６及び複数のねじ１１が覆い隠される。以上のように施工することで、前側の壁パネル２が天井１００と床１０１との間に設置される。壁紙１５の下端部の前側には、幅木１６を取り付ける。
【００６７】
次いで、上固定部材７の後固定部７２と下固定部材８の後固定部８２と連結材９の後側に、複数のパネル体Ｐ１を配置する。このとき、複数のパネル体Ｐ１のそれぞれは、下張り石膏ボード４がパネル体Ｐ１の表側の面（後面）を構成するように、配置される。そして、複数のパネル体Ｐ１は、左右に並ぶ２つのパネル体Ｐ１同士が、凸条部５１０と凹条部５２０とが嵌まり合うように、配置される。
【００６８】
次いで、複数のパネル体Ｐ１のそれぞれの下端部をねじ１２によって下固定部材８の後固定部８２に固定し、複数のパネル体Ｐ１のそれぞれの上端部をねじ１２によって、上固定部材７の後固定部７２に固定する。次いで、複数のパネル体Ｐ１のそれぞれの上下方向の中間部を複数のねじ１２によって、連結材９に固定する。
【００６９】
次いで、複数のパネル体Ｐ１の表側の面（後面）に複数の上張り石膏ボード６を配置する。このとき、左右に並ぶパネル体Ｐ１の間の目地を覆うように、複数の上張り石膏ボード６を配置する。複数の上張り石膏ボード６は、左右方向に隣接する２つの上張り石膏ボード６の側面同士が突き合わさるように、配置する。
【００７０】
次いで、複数のねじ１１によって、複数の上張り石膏ボード６のそれぞれを複数のパネル体Ｐ１の金属外皮５の主板部５０に固定する。このとき、各ねじ１１は、連結材９、上固定部材７及び下固定部材８を避けた位置にねじ込む。
【００７１】
次いで、複数の上張り石膏ボード６の表側の面（後面）に、壁紙１５を貼り付ける。これにより、後側の壁パネル２が天井１００と床１０１との間に設置される。壁紙１５の下端部の後側には、幅木１６を取り付ける。以上のように施工することで、図１、図２及び図３に示す間仕切壁１が天井１００と床１０１との間に設置される。
【００７２】
４．間仕切壁の作用効果
以上説明した本実施形態の間仕切壁１では、左右方向に並ぶ複数のパネル体Ｐ１は、左右に隣接する２つのパネル体Ｐ１同士が、凸条部５１０と凹条部５２０との嵌まり合いによって上下方向にわたって接続されている。
【００７３】
そのため、本実施形態の間仕切壁１では、左右に隣接する２つのパネル体Ｐ１の間に平面視直線状の隙間が生じず、左右に並ぶパネル体Ｐ１の間を通じて音や火災時の炎が通過することを抑制できて、遮音性及び耐火性の向上を図ることができる。
【００７４】
また、本実施形態の間仕切壁１では、上張り石膏ボード６が、左右に隣接する２つのパネル体Ｐ１の間の目地（詳しくは左右に隣接する２つの金属外皮５の間の目地）を覆うように位置するため、この目地への音の到達を抑制することができる。
【００７５】
また、本実施形態の間仕切壁１では、下張り石膏ボード４の裏面に、金属外皮５の主板部５０が接着しているため、上張り石膏ボード６に表側から打ち込んだねじ１１を主板部５０まで貫通させることができる。そのため、本実施形態の間仕切壁１では、上張り石膏ボード６を下張り石膏ボード４に対して強固に取り付けることができる。
【００７６】
また、本実施形態の間仕切壁１では、左右に並ぶ複数のパネル体Ｐ１を、金属外皮５の凸条部５１０と凹条部５２０との嵌まり合いによって強固に接続することができ、その上、複数のパネル体Ｐ１に対して上張り石膏ボード６をねじ１１で強固に取り付けることができる。そのため、本実施形態の間仕切壁１では、一対の壁パネル２のそれぞれの強度が確保しやすくて、一対の壁パネル２間に間柱が不要なノンスタッド工法で間仕切壁１を形成することができる。
【００７７】
また、本実施形態の間仕切壁１では、ノンスタッド工法で間仕切壁１を形成することができるため、一対の壁パネル２のそれぞれを、複数の間柱に対して複数のねじで固定する施工が不要であるため、施工性が向上している。
【００７８】
また、本実施形態の間仕切壁１では、上張り石膏ボード６の取り付けを、ねじ１１で行えるため、一般的な工具であるインパクトドライバーを用いて施工することができ、ステープルガンやコンプレッサー等の専用工具が不要である。そのため、本実施形態の間仕切壁１は、施工しやすい。
【００７９】
また、本実施形態の間仕切壁１では、下張り石膏ボード４の裏面の全体に、金属外皮５の主板部５０が接着しているため、上張り石膏ボード６のねじ１１の打ち込み位置の選択の自由度が高く（つまりねじ１１を任意の位置に打ち込むことができ）、この点でも、施工しやすい。
【００８０】
また、本実施形態の間仕切壁１では、上張り石膏ボード６を固定するねじ１１が、連結材９に固定されていないため、上張り石膏ボード６に伝わった音の振動が、ねじ１１を介して連結材９へと伝わることを防ぐことができる。
【００８１】
また、本実施形態の間仕切壁１では、石膏ボード４，６のコインシデンス周波数が互いに異なるため、同じコインシデンス周波数の石膏ボードを２つ重ねて配置する場合に比べて、遮音性が高い。
【００８２】
また、本実施形態の間仕切壁１では、複数のパネル体Ｐ１のそれぞれの上下方向の中間部が連結材９にねじ１２で固定されているため、各パネル体Ｐ１に反りが生じて、凸条部５１０と凹条部５２０との嵌まり合いに不具合が生じることを抑制することができる。
【００８３】
また、本実施形態の間仕切壁１では、前後のパネル体Ｐ１が連結材９を介して連結され、かつ、前後のパネル体Ｐ１のそれぞれの表側に、下張り石膏ボード４よりも硬質の上張り石膏ボード６が固定されている。そのため、本実施形態の間仕切壁１は、壁面として必要な剛性が確保しやすい。
【００８４】
また、本実施形態の間仕切壁１では、左右に隣接する２つのパネル体Ｐ１の間（詳しくは左右に隣接する２つの金属外皮５の間）に、耐火パッキン１３と気密パッキン１４を挟み込んでいる。そのため、本実施形態の間仕切壁１では、左右に隣接する２つのパネル体Ｐ１の間を、音や火災時の炎が通り抜けることをより確実に防ぐことができる。
【００８５】
また、本実施形態の間仕切壁１では、上張り石膏ボード６は、パネル体Ｐ１の下張り石膏ボード４に対して接着されておらず、パネル体Ｐ１とは別部材である。そのため、パネル体Ｐ１と上張り石膏ボード６とは、施工時に別々に持ち運びすることができて、施工しやすい。
【００８６】
以上説明した本実施形態の間仕切壁１は、例えば、ＴＬＤ５０（ＴＬＤ：Ｔｒａｎｓｍｉｓｓｉｏｎ  Ｌｏｓｓ  Ｄｉｆｆｅｒｅｎｃｅ）の遮音性能が得られ、ホテルの客室等に好適に用いることができる。
【００８７】
（実施形態２）
続いて、図５、図６及び図７に示す実施形態２の間仕切壁１について説明する。以下では、実施形態２の間仕切壁１について、実施形態１の間仕切壁１と共通する構成については図中に同じ符号を入れて詳しい説明を省略し、実施形態１の間仕切壁１と異なる構成については詳しく説明する。
【００８８】
本実施形態の間仕切壁１では、前後一対の壁パネル２のそれぞれは、左右に並ぶ一対のパネル体Ｐ２を有する。前後一対の壁パネル２は、構造が互いに共通している。
【００８９】
一対のパネル体Ｐ２のそれぞれは、下張り石膏ボード４と、下張り石膏ボード４の厚み方向の第一側の面に接着され、下張り石膏ボード４の厚み方向の第一側の面と側面を覆う金属外皮５と、下張り石膏ボード４の厚み方向の第二側の面に接着される上張り石膏ボード６と、を含む。
【００９０】
本実施形態では、金属外皮５は、下張り石膏ボード４の裏面に接着され、下張り石膏ボード４の裏面と側面を覆っている。上張り石膏ボード６は、下張り石膏ボード４の表側の面に接着されている。上張り石膏ボード６は、下張り石膏ボード４に対して、制振接着剤を介して全面が接着されている。上張り石膏ボード６は、その表側から打ち込まれたステープル１７によって、下張り石膏ボード４に対する位置ずれが抑えられている。
【００９１】
図８Ａ、図８Ｂ、及び図８Ｃに示すように、上張り石膏ボード６の左面と下張り石膏ボード４の左面とは面一に並んでおり、上張り石膏ボード６の右面と石膏ボード１０の右面とは面一に並んでいる。下張り石膏ボード４と金属外皮５と上張り石膏ボード６とは、一体化して１つのパネル体Ｐ２を構成している。
【００９２】
図７に示すように、間仕切壁１は、左右方向に隣接する２つの上張り石膏ボード６の間の目地を埋める目地材１８を更に有する。目地材１８は、例えば石膏パテである。
【００９３】
続いて、本実施形態の間仕切壁１の設置方法の一例について説明する。
【００９４】
まず、天井１００に上固定部材７を固定し、床１０１に下固定部材８を固定する。
【００９５】
次いで、上下の固定部材７，８の前側に、複数のパネル体Ｐ２を左右方向に並べて配置する。このとき、複数のパネル体Ｐ２のそれぞれは、上張り石膏ボード６がパネル体Ｐ２の前面を構成するように配置される。そして、複数のパネル体Ｐ２は、左右に並ぶパネル体Ｐ２同士が、凸条部５１０と凹条部５２０とが嵌まり合うように、配置される。
【００９６】
次いで、複数のパネル体Ｐ２のそれぞれの下端部をねじ１２によって下固定部材８の前固定部８１に固定し、複数のパネル体Ｐ２のそれぞれの上端部をねじ１２によって上固定部材７の前固定部７１に固定する。
【００９７】
次いで、複数のパネル体Ｐ２の上下方向の中間部の後側に、連結材９を配置して、複数のパネル体Ｐ２の前側から打ち込んだ複数のねじ１２によって、複数のパネル体Ｐ２のそれぞれを連結材９に固定する。
【００９８】
次いで、複数のパネル体Ｐ２のうち、左右方向に隣接する２つのパネル体Ｐ２の上張り石膏ボード６の間に目地材１８を充填する。
【００９９】
次いで、複数のパネル体Ｐ２の表側の面（前面）に、壁紙１５を貼り付ける。壁紙１５によって複数のパネル体Ｐ２及び複数のねじ１２の頭部が覆い隠される。以上のように施工することで、前側の壁パネル２が天井１００と床１０１との間に設置される。壁紙１５の下端部には、幅木１６を取り付ける。
【０１００】
次いで、上固定部材７の後固定部７２と下固定部材８の後固定部８２と連結材９の後側に複数のパネル体Ｐ２を配置する。このとき、複数のパネル体Ｐ２のそれぞれは、上張り石膏ボード６がパネル体Ｐ２の表側の面（後面）を構成するように配置される。そして、複数のパネル体Ｐ２は、左右に並ぶパネル体Ｐ２同士が、凸条部５１０と凹条部５２０とが嵌まり合うように、配置される。
【０１０１】
次いで、上述した前側の壁パネル２と同様の方法で、複数のパネル体Ｐ２、壁紙１５、及び幅木１６を設置する。以上のように施工することで、図５、図６及び図７に示す間仕切壁１が天井１００と床１０１との間に設置される。
【０１０２】
以上説明した本実施形態の間仕切壁１では、左右方向に並ぶ複数のパネル体Ｐ２は、左右に隣接する２つのパネル体Ｐ２同士が、凸条部５１０と凹条部５２０との嵌まり合いによって上下方向にわたって接続されて、耐火性及び遮音性の向上を図ることができる。
【０１０３】
また、本実施形態の間仕切壁１では、下張り石膏ボード４と金属外皮５と上張り石膏ボード６が一体化してパネル体Ｐ２を構成しているため、下張り石膏ボード４に対して上張り石膏ボード６をねじ１１で固定する作業が省略できて、施工性が高い。
【０１０４】
また、本実施形態の間仕切壁１では、左右に並ぶ複数のパネル体Ｐ２を、金属外皮５の凸条部５１０と凹条部５２０との嵌まり合いによって強固に接続することができ、その上、複数のパネル体Ｐ２のそれぞれが、金属外皮５と下張り石膏ボード４と上張り石膏ボード６が接着により一体化した強固な構造となっている。そのため、本実施形態の間仕切壁１では、一対の壁パネル２のそれぞれの強度が確保しやすくて、一対の壁パネル２間に間柱が不要なノンスタッド工法で間仕切壁１を形成することができる。
【０１０５】
また、本実施形態の間仕切壁１では、ノンスタッド工法で間仕切壁１を形成することができるため、一対の壁パネル２のそれぞれを、複数の間柱に対して複数のねじで固定する施工が不要であるため、施工性が向上している。
【０１０６】
また、本実施形態の間仕切壁１では、上張り石膏ボード６と下張り石膏ボード４と金属外皮５が一体化されて１つのパネル体Ｐ２を構成しているため、施工時に持ち運びしやすくて、施工性が高い。
【０１０７】
以上説明した本実施形態の間仕切壁１は、例えば、ＴＬＤ４５（ＴＬＤ：Ｔｒａｎｓｍｉｓｓｉｏｎ  Ｌｏｓｓ  Ｄｉｆｆｅｒｅｎｃｅ）の遮音性能が得られ、事務所の間仕切壁１等として好適に用いることができる。
【０１０８】
（実施形態３）
続いて、図９に示す実施形態３の間仕切壁１について説明する。以下では、実施形態３の間仕切壁１について、実施形態２の間仕切壁１と共通する構成については図中に同じ符号を入れて詳しい説明を省略し、実施形態２の間仕切壁１と異なる構成については詳しく説明する。
【０１０９】
本実施形態の間仕切壁１では、前後一対の壁パネル２のそれぞれは、左右に並ぶ一対のパネル体Ｐ３を有する。前後一対の壁パネル２は、構造が互いに共通している。パネル体Ｐ３は、パネル体Ｐ２と同じ構造であり、パネル体Ｐ２を上下軸周りに１８０度回転させたものである。
【０１１０】
つまり、一対のパネル体Ｐ３のそれぞれは、下張り石膏ボード４と、下張り石膏ボード４の厚み方向の第一側の面に接着され、下張り石膏ボード４の厚み方向の第一側の面と側面を覆う金属外皮５と、下張り石膏ボード４の厚み方向の第二側の面に接着される上張り石膏ボード６と、を含む。本実施形態では、金属外皮５は、下張り石膏ボード４の表面に接着され、下張り石膏ボード４の表面と側面を覆っている。上張り石膏ボード６は、下張り石膏ボード４の裏面に接着されている。
【０１１１】
本実施形態の間仕切壁１は、連結材９、ねじ１２、壁紙１５、及び目地材１８を備えない。
【０１１２】
続いて、本実施形態の間仕切壁１の設置方法の一例について説明する。
【０１１３】
まず、天井１００に上固定部材７を固定し、床１０１に下固定部材８を固定する。
【０１１４】
次いで、上下の固定部材７，８の前側に、複数のパネル体Ｐ３を左右方向に並べて配置する。このとき、複数のパネル体Ｐ３のそれぞれは、金属外皮５がパネル体Ｐ３の表側の面（前面）を構成するように配置される。そして、複数のパネル体Ｐ３は、左右に並ぶパネル体Ｐ３同士が、凸条部５１０と凹条部５２０とが嵌まり合うように、配置される。
【０１１５】
次いで、複数のパネル体Ｐ３のそれぞれの下端部をねじ１２によって下固定部材８の前固定部８１に固定し、複数のパネル体Ｐ３のそれぞれの上端部をねじ１２によって上固定部材７の前固定部７１に固定する。次いで、複数のパネル体Ｐ３の下端部の前側に、幅木１６を取り付ける。
【０１１６】
次いで、上固定部材７の後固定部７２と下固定部材８の後固定部８２の後側に複数のパネル体Ｐ３を配置する。このとき、複数のパネル体Ｐ３のそれぞれは、金属外皮５がパネル体Ｐ３の表側の面（後面）を構成するように配置される。そして、複数のパネル体Ｐ３は、左右に並ぶパネル体Ｐ３同士が、凸条部５１０と凹条部５２０とが嵌まり合うように、配置される。
【０１１７】
次いで、上述した前側の壁パネル２と同様の方法で、複数のパネル体Ｐ３及び幅木１６を設置する。以上のように施工することで、図９に示す間仕切壁１が天井１００と床１０１との間に設置される。
【０１１８】
以上説明した本実施形態の間仕切壁１では、各パネル体Ｐ３の金属外皮５の主板部５０の表面を化粧面として用いることができるため、壁紙１５の施工が不要で、施工性が高い。
【０１１９】
また、本実施形態の間仕切壁１では、連結材９を備えないため、連結材９を介して前後の壁パネル２の間で音が伝わることを防ぐことができ、遮音性の向上を図ることができる。また、本実施形態の間仕切壁１では、連結材９を取り付ける施工を省略できて、施工性が高い。
【０１２０】
また、本実施形態の間仕切壁１においても、一対の壁パネル２のそれぞれの強度が確保しやすくて、一対の壁パネル２間に間柱が不要なノンスタッド工法で間仕切壁１を形成することができ、またこれにより、間柱にねじ止めする施工が不要であるため、施工性が向上している。
【０１２１】
以上説明した本実施形態の間仕切壁１は、例えば、ＴＬＤ４５の遮音性能が得られ、事務所の間仕切壁１等として好適に用いることができる。
【０１２２】
（変形例）
続いて、上述した実施形態１〜３の間仕切壁１の変形例について説明する。
【０１２３】
実施形態１の間仕切壁１は、複数の上張り石膏ボード６が、左右に隣接する２つの上張り石膏ボード６の間の目地が、左右に隣接する２つのパネル体Ｐ１の間の目地の表側に並ぶように配置されてもよい。
【０１２４】
実施形態１〜３の間仕切壁１では、上張り石膏ボード６として、例えば、ＪＩＳ  Ａ６９０１の石膏ボード(ＧＢ−Ｒ)を用いてもよい。この場合、上張り石膏ボード６は、普通硬質石膏ボード(ＧＢ−Ｒ−Ｈ)を用いた場合と同程度の重量となるように、例えば、厚みが１５ｍｍのものが用いられる。
【０１２５】
実施形態１〜３の間仕切壁１は、下張り石膏ボード４と上張り石膏ボード６のコインシデンス周波数が互いに同じものであってもよい。また、石膏ボード４，６の材質は、上述の例に限定されず、適宜選択可能である。
【０１２６】
実施形態１〜３の間仕切壁１は、耐火パッキン１３と気密パッキン１４のうち、一方のみを有してもよいし、両方とも有さなくてもよい。
【０１２７】
実施形態１〜３の間仕切壁１は、例えば、図１０に示すように、一対の壁パネル２の間に位置する吸音材３を更に備えてもよい。吸音材３は、グラスウール、ロックウール等の無機繊維体であり、遮音性能と耐火性能とを有する。吸音材３は、一対の壁パネル２の間の隙間を埋めるように設けられ、一対の壁パネル２の間のうち、連結材９が位置する部分を除く残りの空間の全体に、吸音層Ｌ１を形成する。吸音材３の厚み（前後方向の長さ）は、一対の壁パネル２の間の距離と同じである。吸音材３としては、例えば、密度が２４ｋｇ／ｍ３、厚みが１００ｍｍのグラスウールが用いられる。図１０に示す変形例では、吸音材３によって間仕切壁１の遮音性及び耐火性の向上を更に図ることができる。
【０１２８】
また、吸音材３は、図１１に示すように、一対の壁パネル２の間に、吸音材３によって構成される吸音層Ｌ１と、空気層Ｌ２とが前後に並んで位置するように、設けてもよい。吸音材３の厚み（前後方向の長さ）は、一対の壁パネル２の間の距離のおよそ半分である。吸音材３は、前側の壁パネル２の後面に取り付けられる。吸音材３を壁パネル２に取り付ける手段は、接着等の適宜の手段が用いられる。図１１に示す変形例では、吸音層Ｌ１と空気層Ｌ２によって音の伝達を防ぐことができ、遮音性の向上を更に図ることができる。なお、吸音材３の厚みは、適宜設定可能である。また、吸音材３を取り付ける側の壁パネル２は、前側の壁パネル２に限らず、後側の壁パネル２であってもよい。
【０１２９】
なお、一対の壁パネル２の間には、図１０、図１１に示す配置とは別の配置で、吸音材３を設けてもよい。例えば、吸音材３は、一対の壁パネル２の間に、吸音層Ｌ１と空気層Ｌ２とが上下に並ぶように、設けてもよい。
【０１３０】
また、実施形態２，３の間仕切壁１は、前後一対の壁パネル２のうち、一方の壁パネル２が複数のパネル体Ｐ２を有し、他方の壁パネル２が複数のパネル体Ｐ３を有してもよい。
【０１３１】
実施形態３の間仕切壁１は、連結材９を更に備えてもよい。この場合、各パネル体Ｐ３を連結材９に固定するねじ１２は、頭部をカバーで覆って露出を防ぐことが好ましい。
【０１３２】
（まとめ）
以上説明した実施形態１及びその変形例の間仕切壁１のように、第一態様の間仕切壁１は、以下の構成を備える。
【０１３３】
すなわち、第一態様の間仕切壁１は、互いに対向し、前後方向に間隔をあけて位置する一対の壁パネル２を備える。一対の壁パネル２のそれぞれは、左右方向に並ぶ一対のパネル体Ｐ１と、一対のパネル体Ｐ１の表側に並ぶ上張り石膏ボード６と、を有する。一対のパネル体Ｐ１のそれぞれは、下張り石膏ボード４と、下張り石膏ボード４の裏面に接着され、下張り石膏ボード４の裏面と側面を覆う金属外皮５と、を含む。上張り石膏ボード６は、金属外皮５を貫通するように上張り石膏ボード６に打ち込まれたねじ１１によって、下張り石膏ボード４に取り付けられる。一対のパネル体Ｐ１の一方のパネル体Ｐ１の金属外皮５のうち、下張り石膏ボード４の側面を覆う部分には、上下方向に延びるように凸条部５１０が形成されている。一対のパネル体Ｐ１の他方のパネル体Ｐ１の金属外皮５のうち、下張り石膏ボード４の側面を覆う部分には、上下方向に延びるように凹条部５２０が形成されている。一対のパネル体Ｐ１は、凸条部５１０と凹条部５２０とが嵌まり合っている。
【０１３４】
上記構成を備えることで、第一態様の間仕切壁１では、左右に並ぶ一対のパネル体Ｐ１を、金属外皮５に形成された凸条部５１０と凹条部５２０との嵌まり合いによって、接続することができる。そのため、第一態様の間仕切壁１では、左右に並ぶ一対のパネル体Ｐ１の間に平面視直線状の隙間が生じることを防ぐことができる。これにより、第一態様の間仕切壁１では、左右に並ぶ一対のパネル体Ｐ１の間を、音や火災時の火炎が通過しにくくて、遮音性及び耐火性の向上を図ることができる。
【０１３５】
また、実施形態１及びその変形例の間仕切壁１のように、第二態様の間仕切壁１は、第一態様の間仕切壁１の構成に加えて、下記の構成を付加的に備える。
【０１３６】
すなわち、第二態様の間仕切壁１では、上張り石膏ボード６は、一対のパネル体Ｐ１の間の目地を覆うように位置する。
【０１３７】
上記構成を備えることで、第二態様の間仕切壁１では、一対のパネル体Ｐ１の間の目地へ音が至ることを、上張り石膏ボード６によって抑制することができる。
【０１３８】
また、実施形態２，３及びその変形例の間仕切壁１のように、第三態様の間仕切壁１は、以下の構成を備える。
【０１３９】
すなわち、第三態様の間仕切壁１は、互いに対向し、前後方向に間隔をあけて位置する一対の壁パネル２を備える。一対の壁パネル２のそれぞれは、左右方向に並ぶ一対のパネル体Ｐ２（Ｐ３）を有する。一対のパネル体Ｐ２（Ｐ３）のそれぞれは、下張り石膏ボード４と、下張り石膏ボード４に接着され、下張り石膏ボード４の厚み方向の第一側の面と側面を覆う金属外皮５と、下張り石膏ボード４の前記厚み方向の第二側の面に接着される上張り石膏ボード６と、を含む。一対のパネル体Ｐ２（Ｐ３）の一方のパネル体Ｐ２（Ｐ３）の金属外皮５のうち、下張り石膏ボード４の側面を覆う部分には、上下方向に延びるように凸条部５１０が形成されている。一対のパネル体Ｐ２（Ｐ３）の他方のパネル体Ｐ２（Ｐ３）の金属外皮５のうち、下張り石膏ボード４の側面を覆う部分には、上下方向に延びるように凹条部５２０が形成されている。一対のパネル体Ｐ２（Ｐ３）は、凸条部５１０と凹条部５２０とが嵌まり合っている。
【０１４０】
上記構成を備えることで、第三態様の間仕切壁１では、左右に並ぶ一対のパネル体Ｐ２（Ｐ３）を、金属外皮５に形成された凸条部５１０と凹条部５２０との嵌まり合いによって、接続することができる。そのため、第三態様の間仕切壁１では、左右に並ぶ一対のパネル体Ｐ２（Ｐ３）の間に平面視直線状の隙間が生じることを防ぐことができる。これにより、第三態様の間仕切壁１では、左右に並ぶ一対のパネル体Ｐ２（Ｐ３）の間を、音や火災時の火炎が通過しにくくて、遮音性及び耐火性の向上を図ることができる。また、第三態様の間仕切壁１では、パネル体Ｐ２（Ｐ３）が、下張り石膏ボード４と金属外皮５と上張り石膏ボード６とが接着して一体化した１つのパネル体であるため、施工時に上張り石膏ボード６を後張りする必要がなくて、施工性が高い。
【０１４１】
また、実施形態１〜３及びその変形例の間仕切壁１のように、第四態様の間仕切壁１は、第一〜第三態様のいずれかの間仕切壁１の構成に加えて、下記の構成を付加的に備える。
【０１４２】
すなわち、第四態様の間仕切壁１は、天井１００に固定される上固定部材７と、床１０１に固定される下固定部材８と、上固定部材７に一対の壁パネル２のそれぞれの上端部を固定するねじ１２と、下固定部材８に一対の壁パネル２のそれぞれの下端部を固定するねじ１２と、を更に備える。
【０１４３】
上記構成を備えることで、第四態様の間仕切壁１では、天井１００と床１０１に固定された固定部材７，８に、一対の壁パネル２の上下の端部をねじ１２で固定することで、天井１００と床１０１の間に、一対の壁パネル２を起立姿勢で設置することができる。ここで、第四態様の間仕切壁１では、一対の壁パネル２のそれぞれは、下張り石膏ボード４の厚み方向の一面に金属外皮５が接着されて覆われることでパネル強度が向上しているため、一対の壁パネル２の間に間柱が不要であり、ノンスタッド工法で間仕切壁１を形成することができる。また、第四態様の間仕切壁１では、金属外皮５を貫通するねじ１２によって一対の壁パネル２が固定部材７，８に固定されるため、一対の壁パネル２の固定部材７，８に対する取付強度が確保しやすく、また、ねじ１２によって一対の壁パネル２のそれぞれを固定部材７，８に固定することができるため、施工しやすい。
【０１４４】
また、実施形態１〜３及びその変形例の間仕切壁１のように、第五態様の間仕切壁１は、第一〜第四態様のいずれかの間仕切壁１の構成に加えて、下記の構成を付加的に備える。
【０１４５】
すなわち、第五態様の間仕切壁１は、一対の壁パネル２の間に位置する横長の連結材９を更に備える。一対のパネル体Ｐ１（Ｐ２，Ｐ３）のそれぞれは、連結材９にねじ固定されている。
【０１４６】
上記構成を備えることで、第五態様の間仕切壁１では、パネル体Ｐ１（Ｐ２，Ｐ３）に反りが生じて、一対のパネル体Ｐ１（Ｐ２，Ｐ３）の凸条部５１０と凹条部５２０との嵌まり合いに不具合が生じることを、抑制することができる。
【０１４７】
また、実施形態１〜３の変形例の間仕切壁１のように、第六態様の間仕切壁１は、第一〜第五態様のいずれかの間仕切壁１の構成に加えて、下記の構成を付加的に備える。
【０１４８】
すなわち、第六態様の間仕切壁１は、一対の壁パネル２の間に位置する吸音材３を更に備える。
【０１４９】
上記構成を備えることで、第六態様の間仕切壁１では、遮音性が更に高まる。
【０１５０】
また、実施形態１〜３の変形例の間仕切壁１のように、第七態様の間仕切壁１は、第六態様の間仕切壁１の構成に加えて、下記の構成を付加的に備える。
【０１５１】
すなわち、第七態様の間仕切壁１では、一対の壁パネル２の間には、吸音材３で構成される吸音層Ｌ１と、空気層Ｌ２とが、前後に並んで位置する。
【０１５２】
上記構成を備えることで、第七態様の間仕切壁１では、吸音層Ｌ１と空気層Ｌ２によって音の伝達を防ぐことができ、遮音性の向上を更に図ることができる。
【０１５３】
また、実施形態１〜３及びその変形例の間仕切壁１のように、第八態様の間仕切壁１は、第一〜第七態様のいずれかの間仕切壁１の構成に加えて、下記の構成を付加的に備える。
【０１５４】
すなわち、第八態様の間仕切壁１では、上張り石膏ボード６は、下張り石膏ボード４とはコインシデンス周波数が異なる。
【０１５５】
上記構成を備えることで、第八態様の間仕切壁１では、石膏ボード６，４のそれぞれによって互いに異なる周波数の音の通過を制限することができて、遮音性の向上を図ることができる。
【０１５６】
また、実施形態１〜３及びその変形例の間仕切壁１のように、第九態様の間仕切壁１は、第一〜第八態様のいずれかの間仕切壁１の構成に加えて、下記の構成を付加的に備える。
【０１５７】
すなわち、第九態様の間仕切壁１では、一対の壁パネル２のそれぞれは、一対のパネル体Ｐ１（Ｐ２，Ｐ３）の間に挟まって位置する耐火パッキン１３及び気密パッキン１４を、更に有する。
【０１５８】
上記構成を備えることで、第九態様の間仕切壁１では一対のパネル体Ｐ１（Ｐ２，Ｐ３）の間の隙間を音や火災時の炎が通過することを、耐火パッキン１３と気密パッキン１４によって抑制することができ、遮音性及び耐火性の向上をより図ることができる。
【０１５９】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１６０】
１      間仕切壁
２      壁パネル
３      吸音材
４      下張り石膏ボード
５      金属外皮
５１０  凸条部
５２０  凹条部
６      上張り石膏ボード
７      上固定部材
８      下固定部材
９      連結材
１１    ねじ
１２    ねじ
１３    耐火パッキン
１４    気密パッキン
１００  天井
１０１  床
Ｐ１    パネル体
Ｐ２    パネル体
Ｐ３    パネル体
Ｌ１    吸音層
Ｌ２    空気層
【図１】
2020026674.tif 000003
【図２】
2020026674.tif 000004
【図３】
2020026674.tif 000005
【図４】
2020026674.tif 000006
【図５】
2020026674.tif 000007
【図６】
2020026674.tif 000008
【図７】
2020026674.tif 000009
【図８】
2020026674.tif 000010
【図９】
2020026674.tif 000011
【図１０】
2020026674.tif 000012
【図１１】
2020026674.tif 000013